(57)【要約】【課題】故障時に予備系波長に空きがある場合は、通常の信号の伝送のために使用される予備系波長を用いるエクストラトラヒックを空きの予備系波長を用いて継続して伝送可能にすること。【解決手段】光パス終端回路送信部ＳＥ１では、故障が発生した場合には、該当する現用系電気信号１１〜１Ｍ’を予備系波長の光信号への変換経路に切り替えることを行って多重化する場合に、スイッチ３は、故障発生により切替対象となるエクストラトラヒック２１〜２Ｍ’を空きの予備系波長の光信号への変換経路に切り替えて与える。また、光パス終端回路受信部ＲＥ１では、スイッチ３３は、波長分離器１７，１７にて分離された光信号に含まれる波長が変更されたエクストラトラヒックを変更前の出力端２６１〜２６Ｍ’に切り替えて送出する。【選択図】      図１
2005020093.tif 000002
【特許請求の範囲】
【請求項１】
リング状に接続される複数の光ファイバの半数ずつを相反する方向性を持つ光伝送路として使用するリングネットワークの各ノードに配置され、本来的に扱う通常の情報と特別の情報であるエクストラトラヒックとについての波長多重光信号を生成する際に、故障が発生した場合には現用系から予備系への切り替えを行い、正常時では予備系を使用してエクストラトラヒックの波長多重を行う送信回路と、隣接するノード間で伝送される波長多重光信号に前記送信回路が生成した波長多重光信号を挿入し、また分岐して自ノードに取り込む分岐挿入回路と、前記分岐された波長多重光信号を各波長の光信号に分離して終端する受信回路とを備える波長多重光通信装置において、
前記送信回路は、
固定波長光源が固定的に発生する複数の互いに異なる波長の光を現用系と予備系とに予め区別し、前記通常の情報を示す電気信号を現用系波長の光信号に変換し、前記エクストラトラヒックを示す電気信号を予備系波長の光信号に変換し、故障が発生した場合には、該当する現用系電気信号を予備系波長の光信号への変換経路に切り替えることを行って多重化する場合に、
故障発生により切替対象となるエクストラトラヒックを空きの予備系波長の光信号への変換経路に切り替えて与える送信切替手段、
を備え、
前記受信回路は、前記分離された光信号に含まれる波長が変更されたエクストラトラヒックを変更前の出力端に切り替えて送出する受信切替手段、
を備えたことを特徴とする波長多重光通信装置。
【請求項２】
前記送信回路は、
前記通常の情報を示す電気信号および前記エクストラトラヒックを示す電気信号に対して１対１に対応して設けられる互いに異なる波長の光を切替可能に発生する可変波長光源であって、前記通常の情報を示す電気信号を現用系波長の光信号に変換し、前記エクストラトラヒックを示す電気信号を予備系波長の光信号に変換し、故障が発生した場合には、該当する通常の情報を示す電気信号を別の波長の光信号に変換し、切替対象となるエクストラトラヒックを示す電気信号を別の波長の光信号に変換する可変波長光源と、
前記可変波長光源が変換した各光信号を多重化する手段と、
故障が発生した場合に多重化経路を現用系から予備系に切り替える手段と、
故障が発生した場合に前記波長が変更されたエクストラトラヒックの光信号を空きの予備系多重化経路に接続変更する手段と、
を備えたことを特徴とする請求項１に記載の波長多重光通信装置。
【請求項３】
前記送信回路は、前記通常の情報を示す電気信号を光信号への変換経路に導入する経路が冗長化されていることを特徴とする請求項１に記載の波長多重光通信装置。
【請求項４】
前記送信切替手段に試験信号を与える信号発生器と、前記受信切替回路が出力する信号を受けて誤りを検出する誤り検出器と、を備えたことを特徴とする請求項１または３に記載の波長多重光通信装置。
【発明の詳細な説明】
【０００１】
【発明の属する技術分野】
この発明は、波長多重伝送路を構成する複数の光ファイバを介してリング状に接続される複数のノードにそれぞれ配置され、故障が発生した場合は現用・予備の切り替えにより通信を継続するための冗長構成を備え、予備系を使用して特定情報（以降「エクストラトラヒック」という）の伝送が可能な波長多重光通信装置に関するものである。
【０００２】
【従来の技術】
例えば、特許文献１では、波長多重伝送路を構成する複数の光ファイバを介してリング状に接続される複数のノードにそれぞれ配置される波長多重光通信装置が開示されている。この波長多重光通信装置は、図５に示すように構成され、各ノード間を接続する前記複数の光ファイバの半数ずつを相反する方向性を持つ光伝送路として使用し、故障が発生した場合には現用系から予備系に切り替えて通信の継続を可能とし、正常時では予備系を使用した本来ノード間で伝送すべき通常の情報とは異なるエクストラトラヒックの伝送が行えるにようになっている。以下、図５を参照して、従来の波長多重光通信装置について説明する。
【０００３】
図５に示す波長多重光通信装置は、光パス終端回路送信部ＳＥと、光パス終端回路受信部ＲＥと、両者の間に設けられる光分岐挿入回路１３９，１４０とを備えている。
【０００４】
光パス終端回路送信部ＳＥは、Ｍ波の固定波長光を発生する共有化光源１０８と、共有化光源１０８からのＭ波固定波長光をＭ’波固定波長光に切り替えて出力する光スイッチ１０７と、光スイッチ１０７の各出力光をそれぞれ２分岐する光分岐器１０６１〜１０６Ｍ’と、電気信号入力１０１１〜１０１Ｍ’から入力される本来ノード間で伝送すべき通常の信号をそれぞれ２分岐する分岐器１０４１〜１０４Ｍ’と、電気信号入力１０２１〜１０２Ｍ’から入力されるエクストラトラヒックと分岐器１０４Ｍ’／２＋１〜１０４Ｍ’の一方の出力とが入力され、いずれか一方を出力するスイッチ１０５１〜１０５Ｍ’／２とを備えている。
【０００５】
さらに光パス終端回路送信部ＳＥは、電気信号入力１０２Ｍ’／２＋１〜１０２Ｍ’から入力されるエクストラトラヒックと分岐器１０４１〜１０４Ｍ’／２の一方の出力とが入力され、いずれか一方を出力するスイッチ１０５Ｍ’／２＋１〜１０５Ｍ’と、分岐器１０４１〜１０４Ｍ’／２の他方の出力およびスイッチ１０５１〜１０５Ｍ’／２の出力と光分岐器１０６１〜１０６Ｍ’の一方の出力とが入力される変調器１１０１〜１１０Ｍ’と、変調器１１０１〜１１０Ｍ’の出力を多重化する波長多重器１１１と、分岐器１０４Ｍ’／２＋１〜１０４Ｍ’の他方の出力およびスイッチ１０５Ｍ’／２＋１〜１０５Ｍ’の出力と光分岐器１０６１〜１０６Ｍ’の他方の出力とが入力される変調器１１０Ｍ”＋１〜１１０Ｍ’と、変調器１１０Ｍ”＋１〜１１０Ｍ’の出力を多重化する波長多重器１１２とを備えている。
【０００６】
波長多重器１１１の出力端は、光ファイバ１１３を介して光分岐挿入回路１３９の一方の入力端に接続され、波長多重器１１２の出力端は、光ファイバ１１４を介して光分岐挿入回路１４０の一方の入力端に接続されている。
【０００７】
光分岐挿入回路１３９の他方の入力端は、光ファイバ１３７を介して隣接するノードの一方に接続されている。また、光分岐挿入回路１３９の一方の出力端は、光ファイバ１４０を介して隣接するノードの他方に接続され、他方の出力端は、光ファイバ１１５を介して光パス終端回路受信部ＲＥに接続されている。
【０００８】
光分岐挿入回路１４０の他方の入力端は、光ファイバ１３８を介して隣接するノードの一方に接続されている。また、光分岐挿入回路１４０の一方の出力端は、光ファイバ１４１を介して隣接するノードの他方に接続され、他方の出力端は、光ファイバ１１６を介して光パス終端回路受信部ＲＥに接続されている。
【０００９】
光パス終端回路受信部ＲＥは、光ファイバ１１５から波長多重光信号が入力される波長分離器１１７と、光ファイバ１１６から波長多重光信号が入力される波長分離器１１８と、波長分離器１１７にて分離された各光信号が入力する光スイッチ１１９と、波長分離器１１８にて分離された各光信号が入力する光スイッチ１２０と、光スイッチ１１９の出力を受ける光信号終端回路１２１１〜１２１Ｍ’と、光スイッチ１２０の出力を受ける光信号終端回路１２１Ｍ’＋１〜１２１２Ｍ’と、１入力２出力のスイッチ１２２１〜１２２Ｍ’と、２入力１出力のスイッチ１２３１〜１２３Ｍ’とを備えている。
【００１０】
光信号終端回路１２１１〜１２１Ｍ’の出力を２分した一方の出力はスイッチ１２３１〜１２３Ｍ’／２の一方の入力となり、他方の出力はスイッチ１２２１〜１２２Ｍ’／２の入力となっている。また、光信号終端回路１２１Ｍ’＋１〜１２１２Ｍ’の出力を２分した一方の出力はスイッチ１２２Ｍ’／２＋１〜１２２Ｍ’の入力となり、他方の出力はスイッチ１２３Ｍ’／２＋１〜１２３Ｍ’の一方の入力となっている。
【００１１】
スイッチ１２２１〜１２２Ｍ’／２は、光信号終端回路１２１１〜１２１Ｍ’の出力を２分した他方の出力を、スイッチ１２３Ｍ’／２＋１〜１２３Ｍ’の他方の入力端と電気信号出力１２６１〜１２６Ｍ’／２とのいずれかに切り替えて出力する。スイッチ１２２Ｍ’／２＋１〜１２２２Ｍ’は、光信号終端回路１２１Ｍ’＋１〜１２１２Ｍ’の出力を２分した一方の出力を、スイッチ１２３１〜１２３Ｍ’／２の一方の入力端と電気信号出力１２６Ｍ’／２＋１〜１２６Ｍ’とのいずれかに切り替えて出力する。
【００１２】
スイッチ１２３１〜１２３Ｍ’／２は、光信号終端回路１２１１〜１２１Ｍ’の出力を２分した一方の出力とスイッチ１２２Ｍ’／２＋１〜１２２Ｍ’の出力とを受けて、いずれかを電気信号出力１２５１〜１２５Ｍ’／２に送出する。スイッチ１２３Ｍ’／２＋１〜１２３Ｍ’は、光信号終端回路１２１１〜１２１Ｍ’の出力を２分した他方の出力とスイッチ１２２１〜１２２Ｍ’／２の出力とを受けて、いずれかを電気信号出力１２５Ｍ’／２＋１〜１２５Ｍ’に送出する。
【００１３】
次に、動作について説明する。図５において、光パス終端回路送信部ＳＥでは、スイッチ１０７にて共有化光源１０８で発生したＭ個の固定波長光信号の中から現用系用と予備系用とからなるＭ’個の特定波長光信号が選択される。選択されたＭ’個の光信号は、光分岐器１０６１〜１０６Ｍ’を介して変調器１１０１〜１１０２Ｍ’の一方の入力端に入力される。
【００１４】
ノード間を伝送する通常の信号は、電気信号入力１０１１〜１０１Ｍ’から分岐器１０４１〜１０４Ｍ’に入力され、それぞれ２分岐される。一方の分岐信号は、変調器１１０１〜１１０２Ｍ’のうちの現用系の変調器に入力し、現用系の波長に重畳される。他方の分岐信号は、スイッチ１０５１〜１０５Ｍ’に与えられる。スイッチ１０５１〜１０５Ｍ’は、分岐器４１〜４Ｍ’の他方の分岐信号と電気信号入力１０２１〜１０２Ｍ’から入力するエクストラトラヒックとのいずれか一方を選択し変調器１１０Ｍ”＋１〜１１０Ｍ’のうちの予備系の変調器に与える。
【００１５】
具体的には、スイッチ１０５１〜１０５Ｍ’は、正常時には、電気信号入力１０２１〜１０２Ｍ’から入力するエクストラトラヒックを選択し、故障により現用波長による伝送ができない場合には、通常の信号（分岐器１０４１〜１０４Ｍ’の他方の分岐信号）を選択する。スイッチ１０５１〜１０５Ｍ’にて選択された信号は、変調器１１０Ｍ”＋１〜１１０Ｍ’のうちの予備系の変調器に入力し、予備系の波長に重畳される。
【００１６】
波長多重器１１１は、変調器１１０１〜１１０Ｍ’にて現用系と予備系の波長に重畳された光信号を多重化し、光ファイバ１１３を介して光分岐挿入回路１３９に出力する。また、波長多重器１１２は、変調器１１０Ｍ”＋１〜１１０Ｍ’にて現用系と予備系の波長に重畳された光信号を多重化し、光ファイバ１１４を介して光分岐挿入回路１４０に出力する。
【００１７】
光分岐挿入回路１３９は、光ファイバ１３７を介して隣接するノードの一方から送られてくる光信号に波長多重器１１１からの光信号を挿入し、光ファイバ１４１を介して隣接するノードの他方に伝達する。同様に、光分岐挿入回路１４０は、光ファイバ１３８を介して隣接するノードの一方から送られてくる光信号に波長多重器１１２からの光信号を挿入し、光ファイバ１４２を介して隣接するノードの他方に伝達する。
【００１８】
また、光分岐挿入回路１３９は、光ファイバ１３７を介して隣接するノードの一方から送られてくる複数波長の光信号の中から当該ノード用の波長を持つ光信号を分岐し、光ファイバ１１５を介して光パス終端回路受信部ＲＥに伝達する。同様に、光分岐挿入回路１４０は、光ファイバ１３８を介して隣接するノードの一方から送られてくる複数波長の光信号の中から当該ノード用の波長を持つ光信号を分岐し、光ファイバ１１６を介して光パス終端回路受信部ＲＥに伝達する。
【００１９】
光パス終端回路受信部ＲＥでは、波長分離器１１７にて、光分岐挿入回路１３９から送られてくる複数波長の光信号が個々の波長の光信号に分離される。分離された個々の波長の光信号は、光信号終端回路１２１１〜１２１Ｍ’にて電気信号に変換される。同様に、波長分離器１１８にて、光分岐挿入回路１４０から送られてくる複数波長の光信号が個々の波長の光信号に分離される。分離された個々の波長の光信号は、光信号終端回路１２１Ｍ‘＋１〜１２１２Ｍ’にて電気信号に変換される。
【００２０】
スイッチ１２３１〜１２３Ｍ’では、現用系の波長を終端した信号と予備系の波長を終端した信号とを受けて、正常時は現用系の波長を終端した信号を選択し、故障時は予備系の波長を終端した信号を選択し、それを電気信号出力１２５１〜１２５Ｍ’に出力する。
【００２１】
スイッチ１２２１〜１２２Ｍ’では、予備系の波長にて伝送されてきた信号を、正常時はエクストラトラヒックとして電気信号出力１２６１〜１２６Ｍ’に出力し、故障時は通常の信号としてスイッチ１２３１〜１２３Ｍ’を介して電気信号出力１２５１〜１２５Ｍ’に出力する。
【００２２】
【特許文献１】
特開２００２−２６１６９８号公報（０１０８〜０１１０、図１０）
【００２３】
【発明が解決しようとする課題】
しかしながら、従来の波長多重光通信装置では、故障が発生した場合は、エクストラトラヒックの伝送を取り止めて予備系の波長を通常の信号の伝送に用いるように構成されているので、例えば通常の信号に対して少ない数のエクストラトラヒックを伝送する場合に、予備系の波長に空きがあっても故障が発生した場合はエクストラトラヒックの伝送ができなくなる、また、仮に空き波長が使用できるとしてもその経路の正常性が確認できないという問題がある。
【００２４】
この発明は、上記に鑑みてなされたもので、故障時に予備系波長に空きがある場合は、通常の信号の伝送のために使用される予備系波長を用いるエクストラトラヒックを空きの予備系波長を用いて継続して伝送可能にするとともに、空きの予備系波長の正常性が確認できる波長多重光通信装置を得ることを目的とする。
【００２５】
【課題を解決するための手段】
上記目的を達成するため、この発明にかかる波長多重光通信装置は、リング状に接続される複数の光ファイバの半数ずつを相反する方向性を持つ光伝送路として使用するリングネットワークの各ノードに配置され、本来的に扱う通常の情報と特別の情報であるエクストラトラヒックとについての波長多重光信号を生成する際に、故障が発生した場合には現用系から予備系への切り替えを行い、正常時では予備系を使用してエクストラトラヒックの波長多重を行う送信回路と、隣接するノード間で伝送される波長多重光信号に前記送信回路が生成した波長多重光信号を挿入し、また分岐して自ノードに取り込む分岐挿入回路と、前記分岐された波長多重光信号を各波長の光信号に分離して終端する受信回路とを備える波長多重光通信装置において、前記送信回路は、固定波長光源が固定的に発生する複数の互いに異なる波長の光を現用系と予備系とに予め区別し、前記通常の情報を示す電気信号を現用系波長の光信号に変換し、前記エクストラトラヒックを示す電気信号を予備系波長の光信号に変換し、故障が発生した場合には、該当する現用系電気信号を予備系波長の光信号への変換経路に切り替えることを行って多重化する場合に、故障発生により切替対象となるエクストラトラヒックを空きの予備系波長の光信号への変換経路に切り替えて与える送信切替手段を備え、前記受信回路は、前記分離された光信号に含まれる波長が変更されたエクストラトラヒックを変更前の出力端に切り替えて送出する受信切替手段を備えたことを特徴とする。
【００２６】
この発明によれば、送信回路では、故障発生により現用系での伝送ができなくなった通常の信号を予備系に切り替えると、当該予備系をしていた切替対象のエクストラトラヒックを空きの予備系波長の光信号への変換経路に切り替えて与えるので、エクストラトラヒックを予備系波長を用いて継続して伝送することができる。また、受信回路では、波長が変更されたエクストラトラヒックを変更前の出力端に切り替えて送出することができる。
【００２７】
【発明の実施の形態】
以下に添付図面を参照して、この発明にかかる波長多重光通信装置の好適な実施の形態を詳細に説明する。
【００２８】
実施の形態１．
図１は、この発明の実施の形態１である波長多重光通信装置の構成を示すブロック図である。図１に示す波長多重光通信装置は、リング状に接続される複数の光ファイバの半数ずつを相反する方向性を持つ光伝送路として使用するリングネットワークの各ノードに配置されるノード装置であって、本来的に扱う通常の情報と特別の情報であるエクストラトラヒックとについての波長多重光信号を生成する光パス終端回路送信部ＳＥ１と、隣接するノード間で伝送される波長多重光信号に光パス終端回路送信部ＳＥ１が生成した波長多重光信号を挿入し、また分岐して自ノードに取り込む光分岐挿入回路３９，４０と、前記分岐された波長多重光信号を各波長の光信号に分離して終端する光パス終端回路受信部ＲＥ１とを備えている。
【００２９】
光パス終端回路送信部ＳＥ１は、Ｍ波の固定波長光を発生する共有化光源８と、共有化光源８が発生するＭ波固定波長光をＭ’波固定波長光に切り替えて出力する光スイッチ７と、光スイッチ７の各出力光をそれぞれ２分岐する光分岐器６１〜６Ｍ’と、電気信号入力１１〜１Ｍ’から入力される本来ノード間で伝送すべき通常の信号をそれぞれ２分岐する２分岐器４１〜４Ｍ’と、電気信号入力２１〜２Ｍ’から入力されるエクストラトラヒックを切り替えて出力するスイッチ３と、スイッチ３の出力と２分岐器４１〜４Ｍ’の一方の出力とが入力され、いずれか一方を出力するスイッチ５１〜５Ｍ’とを備えている。
【００３０】
さらに光パス終端回路送信部ＳＥ１は、２分岐器４１〜４Ｍ’／２の他方の出力およびスイッチ５１〜５Ｍ’／２の出力と光分岐器６１〜６Ｍ’の一方の出力とが入力される変調器１０１〜１０Ｍ’と、変調器１０１〜１０Ｍ’の出力を多重化する波長多重器１１と、２分岐器４Ｍ’／２＋１〜４Ｍ’の他方の出力およびスイッチ５Ｍ’／２＋１〜５Ｍ’の出力と光分岐器６１〜６Ｍ’の他方の出力とが入力される変調器１０Ｍ”＋１〜１０Ｍ’と、変調器１０Ｍ”＋１〜１０Ｍ’の出力を多重化する波長多重器１２とを備えている。
【００３１】
波長多重器１１の出力端は、光ファイバ１３を介して光分岐挿入回路３９の一方の入力端に接続され、波長多重器１２の出力端は、光ファイバ１４を介して光分岐挿入回路４０の一方の入力端に接続されている。
【００３２】
光分岐挿入回路３９の他方の入力端は、光ファイバ３７を介して隣接するノードの一方に接続されている。また、光分岐挿入回路３９の一方の出力端は、光ファイバ４０を介して隣接するノードの他方に接続され、他方の出力端は、光ファイバ１５を介して光パス終端回路受信部ＲＥ１に接続されている。
【００３３】
光分岐挿入回路４０の他方の入力端は、光ファイバ３８を介して隣接するノードの一方に接続されている。また、光分岐挿入回路４０の一方の出力端は、光ファイバ４１を介して隣接するノードの他方に接続され、他方の出力端は、光ファイバ１６を介して光パス終端回路受信部ＲＥ１に接続されている。
【００３４】
光パス終端回路受信部ＲＥ１は、光ファイバ１５から波長多重光信号が入力される波長分離器１７と、光ファイバ１６から波長多重光信号が入力される波長分離器１８と、波長分離器１７にて分離された各光信号が入力する光スイッチ１９と、波長分離器１８にて分離された各光信号が入力する光スイッチ２０と、光スイッチ１９の出力を受ける光信号終端回路２１１〜２１Ｍ’と、光スイッチ２０の出力を受ける光信号終端回路２１Ｍ’＋１〜２１２Ｍ’と、１入力２出力のスイッチ２２１〜２２Ｍ’と、２入力１出力のスイッチ２３１〜２３Ｍ’と、スイッチ３３とを備えている。
【００３５】
光信号終端回路２１１〜２１Ｍ’の出力を２分した一方の出力はスイッチ２３１〜２３Ｍ’／２の一方の入力となり、他方の出力はスイッチ２２１〜２２Ｍ’／２の入力となっている。また、光信号終端回路２１Ｍ’＋１〜２１２Ｍ’の出力を２分した一方の出力はスイッチ２２Ｍ’／２＋１〜２２Ｍ’の入力となり、他方の出力はスイッチ２３Ｍ’／２＋１〜２３Ｍ’の一方の入力となっている。
【００３６】
スイッチ２２１〜２２Ｍ’／２は、光信号終端回路２１１〜２１Ｍ’の出力を２分した他方の出力をスイッチ２３Ｍ’／２＋１〜２３Ｍ’の他方の入力端とスイッチ３３とのいずれかに切り替えて出力する。スイッチ２２Ｍ’／２＋１〜２２２Ｍ’は、光信号終端回路２１Ｍ’＋１〜２１２Ｍ’の出力を２分した一方の出力をスイッチ２３１〜２３Ｍ’／２の一方の入力端とスイッチ３３とのいずれかに切り替えて出力する。
【００３７】
スイッチ２３１〜２３Ｍ’／２は、光信号終端回路２１１〜２１Ｍ’の出力を２分した一方の出力とスイッチ２２Ｍ’／２＋１〜２２Ｍ’の出力とを受けて、いずれかを電気信号出力２５１〜２５Ｍ’／２に送出する。スイッチ２３Ｍ’／２＋１〜２３Ｍ’は、光信号終端回路２１１〜２１Ｍ’の出力を２分した他方の出力とスイッチ２２１〜２２Ｍ’／２の出力とを受けて、いずれかを電気信号出力２５Ｍ’／２＋１〜２５Ｍ’に送出する。そして、スイッチ３３は、スイッチ２２１〜２２Ｍ’／２の出力を切り替えて電気信号出力１２６１〜１２６Ｍ’／２に送出する。
【００３８】
次に、図１を参照して、以上のように構成される実施の形態１による波長多重光通信装置の動作について説明する。図１において、光パス終端回路送信部ＳＥ１では、スイッチ７にて共有化光源８で発生したＭ個の固定波長光信号の中から現用系用と予備系用とからなるＭ’個の特定波長光信号が選択される。選択されたＭ’個の光信号は、光分岐器６１〜６Ｍ’を介して変調器１０１〜１０２Ｍ’の一方の入力端に入力される。
【００３９】
ノード間を伝送する通常の信号は、電気信号入力１１〜１Ｍ’から２分岐器４１〜４Ｍ’に入力され、それぞれ２分岐される。一方の分岐信号は、変調器１０１〜１０２Ｍ’のうちの現用系の変調器に入力し、現用系の波長に重畳される。他方の分岐信号は、スイッチ５１〜５Ｍ’に与えられる。また、電気信号入力２１〜２Ｍ’から入力するエクストラトラヒックは、スイッチ３を介してスイッチ５１〜５Ｍ’に与えられる。スイッチ５１〜５Ｍ’は、分岐器４１〜４Ｍ’の他方の分岐信号とスイッチ３から入力するエクストラトラヒックとのいずれか一方を選択し、それを変調器１０Ｍ”＋１〜１０Ｍ’のうちの予備系の変調器に与え、予備系の波長に重畳させる。
【００４０】
具体的には、スイッチ５１〜５Ｍ’は、正常時には、スイッチ３から入力するエクストラトラヒックを選択し、それを変調器１０Ｍ”＋１〜１０Ｍ’のうちの予備系の変調器に与える。そして、故障により現用波長による伝送ができない場合には、スイッチ５１〜５Ｍ’のうち、２分岐器４１〜４Ｍ’の他方の分岐信号の中の該当する信号が入力されるスイッチでは、エクストラトラヒックから通常の信号に切り替えを行い、それを変調器１０Ｍ”＋１〜１０Ｍ’のうちの予備系の変調器に与える。これによって、故障した通常信号のサービスが中断されることなく継続される。
【００４１】
ここで、スイッチ３では、エクストラトラヒックの数が通常の信号よりも少なく、予備系波長に空きがある場合において、上記の故障時切替が行われるときは、当該切替対象のエクストラトラヒックを空きの予備系波長についての変調器への経路に接続を変更するようになっている。すなわち、当該切替対象のエクストラトラヒックは、正常時と同様に予備系波長に重畳される。これによって、エクストラトラヒックについてもサービスが中断されることなく継続される。
【００４２】
波長多重器１１は、変調器１０１〜１０Ｍ’にて現用系波長と予備系波長に重畳された光信号を多重化し、光ファイバ１３を介して光分岐挿入回路３９に出力する。また、波長多重器１２は、変調器１０Ｍ”＋１〜１０Ｍ’にて現用系波長と予備系波長に重畳された光信号を多重化し、光ファイバ１４を介して光分岐挿入回路４０に出力する。
【００４３】
光分岐挿入回路３９は、光ファイバ３７を介して隣接するノードの一方から送られてくる波長多重光信号に波長多重器１１からの波長多重光信号を挿入し、光ファイバ４１を介して隣接するノードの他方に伝達する。同様に、光分岐挿入回路４０は、光ファイバ３８を介して隣接するノードの一方から送られてくる波長多重光信号に波長多重器１２からの波長多重光信号を挿入し、光ファイバ４２を介して隣接するノードの他方に伝達する。
【００４４】
また、光分岐挿入回路３９は、光ファイバ３７を介して隣接するノードの一方から送られてくる波長多重光信号の中から当該ノード用の波長を持つ波長多重光信号を分岐し、光ファイバ１５を介して光パス終端回路受信部ＲＥ１に伝達する。同様に、光分岐挿入回路４０は、光ファイバ３８を介して隣接するノードの一方から送られてくる波長多重光信号の中から当該ノード用の波長を持つ波長多重光信号を分岐し、光ファイバ１６を介して光パス終端回路受信部ＲＥ１に伝達する。
【００４５】
光パス終端回路受信部ＲＥ１では、波長分離器１７にて、光分岐挿入回路３９から送られてくる波長多重光信号が個々の波長の光信号に分離される。分離された個々の波長の光信号は、光信号終端回路２１１〜２１Ｍ’にて電気信号に変換される。同様に、波長分離器１８にて、光分岐挿入回路４０から送られてくる波長多重光信号が個々の波長の光信号に分離される。分離された個々の波長の光信号は、光信号終端回路２１Ｍ‘＋１〜２１２Ｍ’にて電気信号に変換される。
【００４６】
スイッチ２３１〜２３Ｍ’では、現用系の波長を終端した信号と予備系の波長を終端した信号とを受けて、正常時は現用系の波長を終端した信号を選択し、故障時は予備系の波長を終端した信号を選択し、それを電気信号出力２５１〜２５Ｍ’に出力する。
【００４７】
スイッチ２２１〜２２Ｍ’では、予備系の波長にて伝送されてきた信号を、正常時ではエクストラトラヒックとしてスイッチ３３を介して電気信号出力２６１〜２６Ｍ’に出力し、故障時では該当する信号を通常の信号としてスイッチ２３１〜２３Ｍ’を介して電気信号出力２５１〜２５Ｍ’に出力する。
【００４８】
ここで、スイッチ３３では、正常時にスイッチ２２１〜２２Ｍ’から入力されるエクストラトラヒックのうち、故障発生によって波長が変更されたエクストラトラヒックを電気信号出力２６１〜２６Ｍ’の対応するものに切り替えて送出するようになっている。
【００４９】
このように、実施の形態１によれば、固定波長光源が固定的に発生する複数の互いに異なる波長の光を現用系と予備系とに予め区別し、通常の信号を示す電気信号を現用系波長の光信号に変換し、エクストラトラヒックを示す電気信号を予備系波長の光信号に変換し、故障が発生した場合には、該当する現用系電気信号を予備系波長の光信号への変換経路に切り替えることを行って多重化する場合に、切替対象のエクストラトラヒックを別の予備系変調器に切り替えて接続できるようにし、重畳する予備系波長を変更するようにしたので、予備系波長に空きがある場合は、通常信号の伝送のために予備系波長を明け渡しても空きの予備系波長を用いてエクストラトラヒックの伝送を継続することができる。
【００５０】
実施の形態２．
図２は、この発明の実施の形態２である波長多重光通信装置における光パス終端回路送信部の構成を示すブロック図である。実施の形態１では、通常信号やエクストラトラヒックを波長に重畳する方式として、共有化光源と光スイッチおよび変調器を使用する構成について示したが、この実施の形態２では、可変波長光源を使用する構成例が示されている。
【００５１】
すなわち、実施の形態２による波長多重光通信装置は、図２に示すように、図１に示した光パス終端回路送信部ＳＥ１に代えて、光パス終端回路送信部ＳＥ２が設けられている。その他は、図１に示した構成と同様である。
【００５２】
光パス終端回路送信部ＳＥ２は、図１に示した光パス終端回路送信部ＳＥ１において、共有化光源８と光スイッチ７と光分岐器６１〜６Ｍ’と２分岐器４１〜４Ｍ’とスイッチ３とスイッチ５１〜５Ｍ’と変調器１０１〜１０Ｍ’とに代えて、可変波長光源４３１〜４３２Ｍ’と、光スイッチ４６と、光分岐器４４１〜４４Ｍ’と、２入力１出力のスイッチ４５１〜４５Ｍ’とが設けられている。
【００５３】
可変波長光源４３１〜４３２Ｍ’は、Ｍ波の波長が発生可能な光源であって、電気信号入力１１〜１Ｍ’からの通常の信号と電気信号入力２１〜２Ｍ’からのエクストラトラヒックとが１対１対応で入力されている。可変波長光源４３１〜４３２Ｍ’のうち、電気信号入力１１〜１Ｍ’からの通常の信号が入力される光源の出力は、光分岐器４４１〜４４Ｍ’に入力され、電気信号入力２１〜２Ｍ’からエクストラトラヒックが入力される光源の出力は、光スイッチ４６に入力されている。
【００５４】
光分岐器４４１〜４４Ｍ’／２の一方の分岐信号は波長多重器１１に入力され、他方の分岐信号はスイッチ４５Ｍ’／２＋１〜４５Ｍ’の一方の入力端に入力されている。光分岐器４４Ｍ’／２＋１〜４４Ｍ’の一方の分岐信号は波長多重器１２に入力され、他方の分岐信号はスイッチ４５１〜４５Ｍ’／２の一方の入力端に入力されている。
【００５５】
スイッチ４５１〜４５Ｍ’の他方の入力端には、光スイッチ４６の出力が入力され、スイッチ４５１〜４５Ｍ’／２の出力は、波長多重器１１に入力され、スイッチ４５Ｍ’／２＋１〜４５Ｍ’の出力は、波長多重器１２に入力されている。
【００５６】
次に、図２を参照して、以上のように構成される実施の形態２による波長多重光通信装置における光パス終端回路送信部ＳＥ２の動作について説明する。図２において、電気信号入力１１〜１Ｍ’および電気信号入力２１〜２Ｍ’から入力された通常信号およびエクストラトラヒックは、それぞれ可変波長光源４３１〜４３２Ｍ’にて適切な波長の光信号に変換される。
【００５７】
正常状態では、スイッチ４５１〜４５Ｍ’は、光スイッチ４６の出力を選択している。したがって、通常信号は、光分岐器４４１〜４４Ｍ’から波長多重器１１，１２に入力され、現用系の波長を用いて伝送される。エクストラトラヒックは、スイッチ４５１〜４５Ｍ’から波長多重器１１，１２に入力され、予備系の波長を用いて伝送される。
【００５８】
故障時では、スイッチ４５１〜４５Ｍ’のうち、光分岐器４４１〜４４Ｍ’の他方の分岐信号の中の該当する信号が入力されるスイッチでは、エクストラトラヒックから通常の信号に切り替えを行い、それを波長多重器１１，１２に出力する。これによって、故障した通常信号は、予備系の波長を用いて伝送されるので、サービスが中断されることなく継続される。
【００５９】
ここで、エクストラトラヒックの数が通常の信号よりも少なく、予備系波長に空きがある場合において、上記の故障時切替が行われるときは、可変波長光源４３１〜４３２Ｍ’のうち当該切替対象のエクストラトラヒックが入力された光源では、空きの予備系波長光を発生し、切替対象のエクストラトラヒックを当該空きの予備系波長持つ光信号に変換できるようになっている。
【００６０】
そして、光スイッチ４６では、上記の故障時切替が行われるときは、当該切替対象のエクストラトラヒックをスイッチ４５１〜４５Ｍ’のうち切り替えが行われないスイッチに切り替えて出力するようになっている。すなわち、当該切替対象のエクストラトラヒックは、正常時と同様に予備系波長に重畳される。これによって、エクストラトラヒックについてもサービスが中断されることなく継続される。
【００６１】
このように、実施の形態２によれば、電気信号の光信号への変換を可変波長光源を用いて行い、故障時には、切替対象のエクストラトラヒックの波長を別の波長に変更できるようにし、その波長変更した光信号を予備系に送出できるようにしたので、予備系波長に空きがある場合は、通常信号の伝送のために予備系波長を明け渡しても空きの予備系波長を用いてエクストラトラヒックの伝送を継続することができる。
【００６２】
実施の形態３．
図３は、この発明の実施の形態３である波長多重光通信装置の構成を示すブロック図である。なお、図３では、図１に示した構成と同一ないしは同等である構成要素には、同一の符号が付されている。ここでは、この実施の形態３に関わる部分を中心に説明する。
【００６３】
上記の実施の形態１，２では、波長多重変換処理を含む波長多重区間については冗長構成を取り、故障時はエクストラトラヒック用のリソースを使用することで通常信号のサービスを継続する構成について示したが、この実施の形態３では非波長多重区間について冗長化し信頼性を向上する構成例が示されている。
【００６４】
すなわち、実施の形態３による波長多重光通信装置は、図３に示すように、図１に示した光パス終端回路送信部ＳＥ１に代えて、光パス終端回路送信部ＳＥ３が設けられ、光パス終端回路受信部ＲＥ１に代えて、光パス終端回路受信部ＲＥ２が設けられている。
【００６５】
光パス終端回路送信部ＳＥ３では、図１に示した光パス終端回路送信部ＳＥ１において、非波長多重区間を構成する２分岐器４１〜４Ｍ’に代えて、２分岐器２８１ａ〜２８Ｍ’ａと、２分岐器２８１ｂ〜２８Ｍ’ｂと、２入力１出力のスイッチ２９１ａ〜２９Ｍ’ａと、２入力１出力のスイッチ２９１ｂ〜２９Ｍ’ｂとが設けられている。また、電気信号入力１１〜１Ｍ’に代えて、電気信号入力２７１ａ〜２７Ｍ’ａと電気信号入力２７１ｂ〜２７Ｍ’ｂとが設けられている。
【００６６】
電気信号入力２７１ａ〜２７Ｍ’ａからの通常信号は、２分岐器２８１ａ〜２８Ｍ’ａに入力され、２分岐される。電気信号入力２７１ｂ〜２７Ｍ’ｂからの通常信号は、２分岐器２８１ｂ〜２８Ｍ’ｂに入力され、２分岐され、交差する形でスイッチ２９１ａ〜２９Ｍ’ａ，２９１ｂ〜２９Ｍ’ｂに入力される。
【００６７】
すなわち、２分岐器２８１ａ〜２８Ｍ’ａの一方の分岐信号が対応するスイッチ２９１ａ〜２９Ｍ’ａの一方の入力端に入力されるが、他方の分岐信号は対応しないスイッチ２９１ｂ〜２９Ｍ’ｂの一方の入力端に入力される。同様に、２分岐器２８１ｂ〜２８Ｍ’ｂの一方の分岐信号が対応するスイッチ２９１ｂ〜２９Ｍ’ｂの他方の入力端に入力されるが、他方の分岐信号は対応しないスイッチ２９１ａ〜２９Ｍ’ａの他方の入力端に入力される。
【００６８】
スイッチ２９１ａ〜２９Ｍ’ａのうち、スイッチ２９１ａ，２９（Ｍ’／２）ａ，２９Ｍ’ａの出力は現用系の変調器に直接入力されている。また、スイッチ２９１ｂ〜２９Ｍ’ｂでは、スイッチ２９（Ｍ’／２＋１）ｂの出力が現用系の変調器に直接入力されている。その他のスイッチの出力は、スイッチ３の出力とともに、スイッチ５１〜５Ｍ’に入力されている。
【００６９】
また、光パス終端回路受信部ＲＥ２では、図１に示した光パス終端回路受信部ＲＥ１において、スイッチ２２１〜２２Ｍ’とスイッチ２３１〜２３Ｍ’とに代えて、２分岐器３０１〜３０Ｍ’と、３分岐器３１１〜３１Ｍ’と、２入力１出力のスイッチ３２１ａ〜３２Ｍ’ａと、２入力１出力のスイッチ３２１ｂ〜３２Ｍ’ｂとが設けられている。また、電気信号出力２５１〜２５Ｍ’に代えて、電気信号出力３４１ａ〜３４Ｍ’ａと電気信号出力３４１ｂ〜３４Ｍ’ｂとが設けられている。
【００７０】
光信号終端回路２１１〜２１Ｍ’の出力を２分した一方の出力は２分岐器３０１〜３０Ｍ’／２の入力となり、他方の出力は３分岐器３１１〜３１Ｍ’／２の入力となっている。また、光信号終端回路２１Ｍ’＋１〜２１２Ｍ’の出力を２分した一方の出力は３分岐器３１Ｍ’／２＋１〜３１Ｍ’の入力となり、他方の出力は２分岐器３０Ｍ’／２＋１〜３０Ｍ’の入力となっている。
【００７１】
２分岐器３０１〜３０Ｍ’の一方の分岐信号は、スイッチ３２１ａ〜３２Ｍ’ａの一方の入力となり、他方の分岐信号は、スイッチ３２１ｂ〜３２Ｍ’ｂの一方の入力となっている。３分岐器３１１〜３１Ｍ’での３分岐信号のうちの１つは、スイッチ３３に入力される。
【００７２】
３分岐器３１１〜３１Ｍ’での３分岐信号のうちの残りの２つは、３分岐器３１１〜３１Ｍ’／２ではスイッチ３２（Ｍ’／２＋１）ａ〜３２Ｍ’ａおよびスイッチ３２（Ｍ’／２＋１）ｂ〜３２Ｍ’ｂの他方の入力に与えられ、３分岐器３１（Ｍ’／２＋１）〜３１Ｍ’ではスイッチ３２１ａ〜３２（Ｍ’／２）ａおよびスイッチ３２１ｂ〜３２（Ｍ’／２）ｂの他方の入力に与えられている。
【００７３】
スイッチ３２１ａ〜３２Ｍ’ａは、電気信号出力３４１ａ〜３４Ｍ’ａに信号を出力し、スイッチ３２１ｂ〜３２Ｍ’ｂは、電気信号出力３４１ｂ〜３４Ｍ’ｂに信号を出力するようになっている。
【００７４】
次に、図３を参照して、以上のように構成される実施の形態３による波長多重光通信装置の動作について説明する。図３において、光パス終端回路送信部ＳＥ３の電気信号入力は、電気信号入力２７１ａ〜２７Ｍ’ａと電気信号入力２７１ｂ〜２７Ｍ’ｂとに冗長化されている。また、非波長多重区間も２分岐器２８１ａ〜２８Ｍ’ａ、２８１ｂ〜２８Ｍ’ｂと、スイッチ２９１ａ〜２９Ｍ’ａ、２９１ｂ〜２９Ｍ’ｂとによって冗長化されている。
【００７５】
２分岐器２８１ａ〜２８Ｍ’ａ、２８１ｂ〜２８Ｍ’ｂの分岐信号の１つをスイッチ２９１ａ〜２９Ｍ’ａ、２９１ｂ〜２９Ｍ’ｂに交差する形で入力させているので、一方の経路が故障してももう一方の経路により通常信号を定められた波長に重畳して伝送することが可能である。
【００７６】
光パス終端回路受信部ＲＥ２では、現用の波長によって伝送された信号を２分岐器３０１〜３０Ｍ’およびスイッチ３２１ａ〜３２Ｍ’ａ、３２１ｂ〜３２Ｍ’ｂを介して冗長化された電気信号出力３４１ａ〜３４Ｍ’ａ、３４１ｂ〜３４Ｍ’ｂに出力する。
【００７７】
非波長多重区間に故障が発生して通常の信号の伝送ができなくなった場合、当該信号について２分岐器２８１ａ〜２８Ｍ’ａ、２８１ｂ〜２８Ｍ’ｂにて分岐した信号を交差接続したスイッチ２９１ａ〜２９Ｍ’ａ、２９１ｂ〜２９Ｍ’ｂから出力し、予備系波長に重畳することができるので、実施の形態１と同様にサービスを継続することができる。
【００７８】
通常の信号と比較してエクストラトラヒックの数が少なく、予備系波長に空きがある状態では、故障が発生して通常の信号を予備系波長に重畳しても、実施の形態１にて説明したように、それまで該当する予備系波長に重畳して伝送していたエクストラトラヒックをスイッチ３により空きの予備系波長に接続変更することができるので、エクストラトラヒックについてもサービスを継続することが可能となる。
【００７９】
このように、実施の形態３によれば、通常の信号を示す電気信号を光信号への変換経路に導入する非波長多重区間を冗長化したので、非波長多重区間の故障についても予備の経路を使用して通常信号の伝送を継続することができる。
【００８０】
実施の形態４．
図４は、この発明の実施の形態４である波長多重光通信装置の構成を示すブロック図である。この実施の形態４では、空きの予備系波長に試験信号を流し、エクストラトラヒックで使用していない空きの予備系波長についてリソースの正常性が確認できるようにした構成例が示されている。なお、図４では、図１に示した構成と同一ないしは同等である構成要素には、同一の符号が付されている。ここでは、この実施の形態４に関わる部分を中心に説明する。
【００８１】
すなわち、実施の形態４による波長多重光通信装置は、図４に示すように、図１に示した光パス終端回路送信部ＳＥ１に代えて、光パス終端回路送信部ＳＥ４が設けられ、光パス終端回路受信部ＲＥ１に代えて、光パス終端回路受信部ＲＥ３が設けられている。
【００８２】
光パス終端回路送信部ＳＥ４では、図１に示した光パス終端回路送信部ＳＥ１において、スイッチ３に、空きの予備系波長に正常性を確認するための信号発生器３５が接続されている。また、光パス終端回路受信部ＲＥ３では、スイッチ３３に、誤り検出器３６が接続されている。
【００８３】
次に、図４を参照して、以上のように構成される実施の形態４による波長多重光通信装置の動作について説明する。図４において、光パス終端回路送信部ＳＥ４では、信号発生器３５により正常性を確認する試験信号をスイッチ３に入力する。スイッチ３では、空きの予備系波長に対応する経路に信号発生器３５からの試験信号を出力し、空きの予備系波長に重畳させる。
【００８４】
光パス終端回路受信部ＲＥ３では、空きの予備系波長を用いて伝送されてきた試験信号をスイッチ３３を介して誤り検出器３６に出力し、空きの予備系波長に関する正常性を確認する。
【００８５】
このように、実施の形態４によれば、空きの予備系波長の正常性を確認する信号発生器と誤り検出器を設けたので、エクストラトラヒックで使用していない空きの予備系波長についても常時正常性を確認することができる。なお、実施の形態４では、実施の形態１への適用例を示したが、実施の形態３にも同様に適用できることは言うまでもない。
【００８６】
【発明の効果】
以上説明したように、この発明によれば、送信回路では、故障発生により現用系での伝送ができなくなった通常の信号を予備系に切り替えると、当該予備系をしていた切替対象のエクストラトラヒックを空きの予備系波長の光信号への変換経路に切り替えて与えるので、エクストラトラヒックを予備系波長を用いて継続して伝送することができる。また、受信回路では、波長が変更されたエクストラトラヒックを変更前の出力端に切り替えて送出することができる。
【図面の簡単な説明】
【図１】この発明の実施の形態１である波長多重光通信装置の構成を示すブロック図である。
【図２】この発明の実施の形態２である波長多重光通信装置における光パス終端回路送信部の構成を示すブロック図である。
【図３】この発明の実施の形態３である波長多重光通信装置の構成を示すブロック図である。
【図４】この発明の実施の形態４である波長多重光通信装置の構成を示すブロック図である。
【図５】従来の波長多重光通信装置の構成を示すブロック図である。
【符号の説明】
ＳＥ１，ＳＥ２，ＳＥ３，ＳＥ４  光パス終端回路送信部、ＲＥ１，ＲＥ２，ＲＥ３  光パス終端回路受信部、１１〜１Ｍ’，２１〜２Ｍ’，２７１ａ〜２７Ｍ’ａ，２７１ｂ〜２７Ｍ’ｂ    電気信号入力、３，３３  スイッチ、４１〜４Ｍ’，２８１ａ〜２８Ｍ’ａ，２８１ｂ〜２８Ｍ’ｂ，３０１〜３０Ｍ’  ２分岐器、５１〜５Ｍ’，３１〜３Ｍ’，４５１〜４５Ｍ’，２９１ａ〜２９Ｍ’ａ，２９１ｂ〜２９Ｍ’ｂ，３２１ａ〜３２Ｍ’ａ，３２１ｂ〜３２Ｍ’ｂ  ２入力１出力のスイッチ、６１〜６Ｍ’  光分岐器、７  光スイッチ、８  共有化光源、１０１〜１０２Ｍ’  変調器、１１，１２  波長多重器、１３，１４，１５，１６，３７，３８  光ファイバ、１７，１８  波長分離器、１９，２０    光スイッチ、２１１〜２１２Ｍ’  光信号終端回路、２２１〜２２Ｍ’  １入力２出力のスイッチ、２５１〜２５Ｍ’，２６１〜２６Ｍ’，３４１ａ〜３４Ｍ’ａ，３４１ｂ〜３４Ｍ’ｂ    電気信号出力、３１１〜３１Ｍ’  ３分岐器、３５信号発生器、３６  誤り検出器、３９，４０  光分岐挿入回路、４３１〜４３２Ｍ’  可変波長光源、４４１〜４４Ｍ’  光分岐器、４６  光スイッチ。
【図１】
2005020093.tif 000003
【図２】
2005020093.tif 000004
【図３】
2005020093.tif 000005
【図４】
2005020093.tif 000006
【図５】
2005020093.tif 000007